(57)【要約】【課題】音場の再現性を向上させることができる映像音声送信装置及びマルチディスプレイシステムを提供する。【解決手段】映像音声送信装置は、映像信号に基づく映像を表示する表示部、及び音声信号に基づく音声を出力する音声出力部を有する複数の表示装置のそれぞれに、映像信号及び音声信号を送信する映像音声送信装置であって、複数の表示装置のそれぞれに、複数の表示装置における相対位置に応じた音声信号を送信することを特徴とする。【選択図】図１
2019129380.tif 000002
【特許請求の範囲】
【請求項１】
映像信号に基づく映像を表示する表示部、及び音声信号に基づく音声を出力する音声出力部を有する複数の表示装置のそれぞれに、前記映像信号及び前記音声信号を送信する映像音声送信装置であって、
前記複数の表示装置のそれぞれに、前記複数の表示装置における相対位置に応じた前記音声信号を送信する
ことを特徴とする映像音声送信装置。
【請求項２】
請求項１に記載の映像音声送信装置であって、
前記表示装置における前記音声出力部の位置に応じた前記音声信号を送信する
ことを特徴とする映像音声送信装置。
【請求項３】
請求項１又は請求項２に記載の映像音声送信装置であって、
前記音声出力部として、第１の音声出力部と、前記第１の音声出力部とは異なる位置に設けられた第２の音声出力部とを備える前記表示装置に、前記音声信号を送信する際に、
前記第１の音声出力部及び前記第２の音声出力部のそれぞれの位置に応じた前記音声信号を送信する
ことを特徴とする映像音声送信装置。
【請求項４】
請求項１から請求項３のいずれか１項に記載の映像音声送信装置であって、
前記複数の表示装置に、複数の音声チャンネルに対応する音声を出力させる際に、前記複数の音声チャンネルのうちの前記相対位置に応じた音声チャンネルを含む前記音声信号を送信する
ことを特徴とする映像音声送信装置。
【請求項５】
請求項４に記載の映像音声送信装置であって、
４Ｋ解像度の映像を再生可能な前記複数の表示装置のそれぞれに、８Ｋコンテンツに基づく前記映像信号及び前記音声信号を送信して、前記複数の表示装置に前記８Ｋコンテンツを再生させる際に、
前記８Ｋコンテンツに対応する２２．２ｃｈの前記音声チャンネルのうちの前記相対位置に応じた音声チャンネルを含む前記音声信号を送信する
ことを特徴とする映像音声送信装置。
【請求項６】
映像信号に基づく映像を表示する表示部、及び音声信号に基づく音声を出力する音声出力部を有する複数の表示装置と、
前記複数の表示装置のそれぞれに前記映像信号及び前記音声信号を送信する映像音声送信装置と、を備え、
前記映像音声送信装置は、前記複数の表示装置のそれぞれに、前記複数の表示装置における相対位置に応じた前記音声信号を送信する
ことを特徴とするマルチディスプレイシステム。
【発明の詳細な説明】
【技術分野】
【０００１】
本発明は、映像音声送信装置及びマルチディスプレイシステムに関し、例えば、複数の表示装置を含むマルチディスプレイシステムに音声を出力させる技術に関する。
【背景技術】
【０００２】
従来、並置された複数のディスプレイによって形成された一つの大きな画面を用いて映像を再生するマルチディスプレイシステムが知られている（例えば特許文献１参照）。
【０００３】
特許文献１に記載のマルチディスプレイシステムは、左右の各チャンネル用のスピーカを備える複数のディスプレイから構成される。そして、各ディスプレイのそれぞれは、左右の各チャンネルの音声信号が入力されても、左右のチャンネルの内の一方をミュート可能に構成される。例えば、複数のディスプレイのうち、左端に配置されたディスプレイでは右チャンネルがミュートされ、右端に配置されたディスプレイでは左チャンネルがミュートされる。
【先行技術文献】
【特許文献】
【０００４】
【特許文献１】特開２０１６−５８８７３号公報
【発明の概要】
【発明が解決しようとする課題】
【０００５】
しかしながら、特許文献１に記載のマルチディスプレイシステムでは、音声の再生時に音場の再現性が低下するおそれがあった。例えば、特許文献１に記載のマルチディスプレイシステムでは、マルチチャンネルの音声データが入力された際に、左右の両端に位置するスピーカ以外をミュートするため、音の広がりを損なったり、音声が偏ったりして、音場の再現性が低下してしまうおそれがあった。
【０００６】
本発明は、上記従来技術における問題点に鑑みなされ、音場の再現性を向上させることができる映像音声送信装置及びマルチディスプレイシステムを提供することを一つの目的とする。
【課題を解決するための手段】
【０００７】
本発明に係る映像音声送信装置は、映像信号に基づく映像を表示する表示部、及び音声信号に基づく音声を出力する音声出力部を有する複数の表示装置のそれぞれに、前記映像信号及び前記音声信号を送信する映像音声送信装置であって、前記複数の表示装置のそれぞれに、前記複数の表示装置における相対位置に応じた前記音声信号を送信することを特徴とする。
このような構成では、各表示装置から、当該表示装置の相対位置に応じた音声を出力させることができる。このため、例えば、マルチチャンネルの音声データが再生対象である場合でも、映像音声送信装置は、表示装置の相対位置に応じて、各表示装置に再生対象のチャンネルを割り振ることができる。したがって、音声の偏りや、広がりを損なうという不具合を抑制できるため、より自然な音声を出力させることができ、音場の再現性を向上させることができる。
【０００８】
また、本発明に係る映像音声送信装置は、前記表示装置における前記音声出力部の位置に応じた前記音声信号を送信することを特徴とする。
このような構成では、各表示装置の音声出力部から、当該音声出力部の位置に応じた音
声を出力させることができる。このため、音声の偏りをより効果的に抑制することができる。
【０００９】
また、本発明に係る映像音声送信装置は、前記音声出力部として、第１の音声出力部と、前記第１の音声出力部とは異なる位置に設けられた第２の音声出力部とを備える前記表示装置に、前記音声信号を送信する際に、前記第１の音声出力部及び前記第２の音声出力部のそれぞれの位置に応じた前記音声信号を送信することを特徴とする。
このような構成では、互いに異なる位置に設けられた第１の音声出力部及び第２の音声出力部のそれぞれから、位置に応じた音声を出力させることができる。このため、音声の偏りをより一層効果的に抑制することができる。
また、複数の表示装置によって形成された一つの表示領域の内部に音声出力部を配置できる。このため、例えば、２２．２ｃｈの音声データ等の、表示領域が形成された仮想面内にチャンネルが設定される場合に、仮想面内のチャンネルの設定位置に対して、実際の音声の出力位置を近づけることができ、音場の再現性を向上させることができる。
【００１０】
また、本発明に係る映像音声送信装置は、前記複数の表示装置に、複数の音声チャンネルに対応する音声を出力させる際に、前記複数の音声チャンネルのうちの前記相対位置に応じた音声チャンネルを含む前記音声信号を送信することを特徴とする。
このような構成により、複数の表示装置の相対位置に応じた音声チャンネルを含む音声を、各表示装置から出力させることができる。したがって、複数の音声チャンネルに対応する音声を出力する場合でも、より自然な音声を出力できる。
【００１１】
また、本発明に係る映像音声送信装置は、４Ｋ解像度の映像を再生可能な前記複数の表示装置のそれぞれに、８Ｋコンテンツに基づく前記映像信号及び前記音声信号を送信して、前記複数の表示装置に前記８Ｋコンテンツを再生させる際に、前記８Ｋコンテンツに対応する２２．２ｃｈの前記音声チャンネルのうちの前記相対位置に応じた音声チャンネルを含む前記音声信号を送信することを特徴とする。
このような構成により、８Ｋコンテツに対応する２２．２ｃｈの音声を出力する場合でも、複数の表示装置の相対位置に応じた音声チャンネルを含む音声を、各表示装置から出力させることができる。したがって、８Ｋコンテンツの音声の再生品質を向上させることができる。
【００１２】
本発明に係るマルチディスプレイシステムは、映像信号に基づく映像を表示する表示部、及び音声信号に基づく音声を出力する音声出力部を有する複数の表示装置と、前記複数の表示装置のそれぞれに前記映像信号及び前記音声信号を送信する映像音声送信装置と、を備え、前記映像音声送信装置は、前記複数の表示装置のそれぞれに、前記複数の表示装置における相対位置に応じた前記音声信号を送信することを特徴とする。
このような構成では、上述の映像音声送信装置に係る発明と同様に、各表示装置から、当該表示装置の相対位置に応じた音声が出力させることができる。したがって、音声の偏りや、広がりを損なうという不具合を抑制できるため、より自然な音声を出力させることができ、音場の再現性を向上させることができる。
【発明の効果】
【００１３】
本発明に係る映像音声送信装置及びマルチディスプレイシステムによれば、音声の偏りや、広がりを損なうという不具合を抑制できるため、より自然な音声を出力させ、音場の再現性を向上させることができることができる。
【図面の簡単な説明】
【００１４】
【図１】本発明の実施例１に係るマルチディスプレイシステムを模式的に示す構成図である。
【図２】本発明の実施例１に係るマルチディスプレイシステムの構成を模式的に示すブロック図である。
【図３】本発明の実施例１に係るマルチディスプレイシステムが再生対象とする２２．２ｃｈの音声データが想定するスピーカ位置を示す図である。
【図４】本発明の実施例１に係るマルチディスプレイシステムにおいて、２２．２ｃｈの各チャンネルの設定位置に応じた分類の一例を示す図である。
【図５】本発明の実施例１に係る映像音声送信装置が音声出力部に出力させる音声データを算出する際に用いる計算式の一例である。
【図６】本発明の実施例１において外部装置が接続されたマルチディスプレイシステムを模式的に示す構成図である。
【図７】本発明の実施例１において音声設定画面の一例を示す模式図である。
【図８】本発明の実施例１において各音声チャンネルに対して設定されているチャンネル名、チャンネル番号、及び１６進数コートの一例である。
【図９】本発明の実施例１において映像音声送信装置による音声設定画面の一例を示す模式図である。
【図１０】本発明の実施例２に係るマルチディスプレイシステムを模式的に示す構成図である。
【図１１】本発明の実施例３に係るマルチディスプレイシステムを模式的に示す構成図である。
【発明を実施するための形態】
【００１５】
本発明の映像音声送信装置及びマルチディスプレイシステムは、音声の偏りや、広がりを損なうという不具合を抑制でき、より自然な音声を出力できることを特徴とする。以下、実施例を図面に基づいて説明する。
なお、本実施例で示される映像音声送信装置及びマルチディスプレイシステムの全体構成及び各部の構成は、下記に述べる実施例に限定されるものではなく、本発明の技術的思想の範囲内、即ち、同一の作用効果を発揮できる構成の範囲内で変更することができるものである。
（実施例１）
【００１６】
以下、本発明に係る実施例１について、図１から図９を用いて説明する。
図１は、実施例１におけるマルチディスプレイシステムを模式的に示す構成図である。また、図２は、図１に示すマルチディスプレイシステムの概略構成を示すブロック図である。
図１及び図２に示すように、マルチディスプレイシステム１は、複数の表示装置としての第１ディスプレイ１０、第２ディスプレイ２０、第３ディスプレイ３０、及び第４ディスプレイ４０と、映像音声送信装置５０と、を備える。
【００１７】
マルチディスプレイシステム１では、鉛直方向（図１の上下方向）に沿って、第１ディスプレイ１０と第３ディスプレイ３０とが並置され、第２ディスプレイ２０と第４ディスプレイ４０とが並置される。また、鉛直方向に交差する方向（図１の左右方向であり、以下、左右方向とも称する）に沿って、第１ディスプレイ１０と第２ディスプレイ２０とが並置され、第３ディスプレイ３０と第４ディスプレイ４０とが並置される。これら並置された各ディスプレイ１０，２０，３０，４０によって表示ユニット構成され、図１に示す表示領域ＡｒＤに一つの表示面が形成される。そして、映像音声送信装置５０から送信された映像信号及び音声信号に基づいて、各ディスプレイ１０，２０，３０，４０に映像及び音声が再生される。本実施例では、各ディスプレイ１０，２０，３０，４０は、４Ｋ（例えば３８４０×２１６０画素）解像度の映像を表示可能に構成されている。すなわち、マルチディスプレイシステム１は、全体として８Ｋ（例えば７６８０×４３２０画素）解像度の映像を表示可能である。
【００１８】
（各ディスプレイ１０，２０，３０，４０の構成）
第１ディスプレイ１０は、第１信号入力部１１と、第１表示部１２と、第１音声出力部１３と、を備える。第１ディスプレイ１０は、マルチディスプレイシステム１の表示領域ＡｒＤに向かって見て、当該表示領域ＡｒＤの左上部に配置される。この第１ディスプレイ１０は、表示領域ＡｒＤの左上部に対応する映像及び音声を再生する。
【００１９】
第１信号入力部１１は、映像音声送信装置５０からの映像信号及び音声信号が入力される。第１信号入力部１１は、例えば、ＨＤＭＩ（High-Definition Multimedia Interface、登録商標）端子を含み構成される。
第１表示部１２は、矩形状の表示領域を有し、４Ｋ解像度の映像を表示可能に構成される。
【００２０】
第１音声出力部１３は、第１の音声出力部に相当する左側音声出力部１３Ｌと、第２の音声出力部に相当する右側音声出力部１３Ｒと、を備える。左側音声出力部１３Ｌは、第１表示部１２の左側の端部に沿って配置されている。また、右側音声出力部１３Ｒは、左側音声出力部１３Ｌとは異なる位置に、本実施例では第１表示部１２の右側の端部に沿って配置されている。これら左側音声出力部１３Ｌ及び右側音声出力部１３Ｒは、第１ディスプレイ１０及び第２ディスプレイ２０の配列方向である左右方向において、異なる位置に設けられている。
【００２１】
第２ディスプレイ２０は、表示領域ＡｒＤの右上部に配置され、表示領域ＡｒＤの右上部に対応する映像及び音声を再生する。第２ディスプレイ２０は、第１ディスプレイ１０と略同様に構成され、映像信号及び音声信号が入力される第２信号入力部２１と、４Ｋ解像度の映像を表示可能な第２表示部２２と、第２音声出力部２３と、を備える。また、第２音声出力部２３は、左側音声出力部２３Ｌ及び右側音声出力部２３Ｒを備える。
【００２２】
第３ディスプレイ３０は、表示領域ＡｒＤの左下部に配置され、表示領域ＡｒＤの左下部に対応する映像及び音声を再生する。第３ディスプレイ３は、第１ディスプレイ１０と略同様に構成され、映像信号及び音声信号が入力される第３信号入力部３１と、４Ｋ解像度の映像を表示可能な第３表示部３２と、第３音声出力部３３と、を備える。また、第３音声出力部３３は、左側音声出力部３３Ｌ及び右側音声出力部３３Ｒを備える。
【００２３】
第４ディスプレイ４０は、表示領域ＡｒＤの右下部に配置され、表示領域ＡｒＤの右下部に対応する映像及び音声を再生する。第４ディスプレイ４０は、第１ディスプレイ１０と略同様に構成され、映像信号及び音声信号が入力される第４信号入力部４１と、４Ｋ解像度の映像を表示可能な第４表示部４２と、第４音声出力部４３と、を備える。また、第４音声出力部４３は、左側音声出力部４３Ｌ及び右側音声出力部４３Ｒを備える。
【００２４】
（映像音声送信装置５０の構成）
映像音声送信装置５０は、第１ディスプレイ１０、第２ディスプレイ２０、第３ディスプレイ３０、及び第４ディスプレイ４０のそれぞれに、各ディスプレイ１０，２０，３０，４０の相対位置に応じた映像信号及び音声信号を送信する。これにより、第１ディスプレイ１０、第２ディスプレイ２０、第３ディスプレイ３０、及び第４ディスプレイ４０に、一つのコンテンツに対応する映像及び音声が再生される。なお、映像音声送信装置５０は、例えば、アンテナ（図示省略）が受信した放送信号を取得し、当該放送信号を復調等して、各ディスプレイ１０，２０，３０，４０が再生可能な形式の信号として、各ディスプレイ１０，２０，３０，４０に送信する。映像処理装置５０による、再生用のコンテンツを取得方法は、放送信号の取得に制限されず、インターネット等の通信ネットワークを介してもよいし、記録媒体から読み出してもよいし、他の機器から送信されてもよい。
【００２５】
映像音声送信装置５０は、第１信号出力部５１と、第２信号出力部５２と、第３信号出力部５３と、第４信号出力部５４と、信号生成部５５と、を備える。
第１信号出力部５１は、第１ディスプレイ１０の信号入力部１１に、ＨＤＭＩケーブル等によって有線接続され、信号生成部５５によって生成された映像信号及び音声信号を第１ディスプレイ１０に送信する。
【００２６】
第２信号出力部５２と、第３信号出力部５３と、第４信号出力部５４とは、接続先が異なる点を除き、第１信号出力部５１と同様に構成される。具体的には、第２信号出力部５２は、第２ディプレイ２０の第２信号入力部２１に接続されている。第３信号出力部５３は、第３ディプレイ３０の第３信号入力部３１に接続されている。第４信号出力部５４は、第４ディプレイ４０の第４信号入力部４１に接続されている。
【００２７】
信号生成部５５は、各ディスプレイ１０，２０，３０，４０によって、８Ｋコンテンツを再生可能なように、各ディスプレイ１０，２０，３０，４０の相対位置に応じた映像信号及び音声信号を生成する。具体的には、信号生成部５５は、第１ディスプレイ１０に対して、再生用８Ｋコンテンツの左上部分に相当する映像信号を生成する。また、信号生成部５５は、第２ディスプレイ２０に対しては右上部分、第３ディスプレイ３０に対しては左下部分、第４ディスプレイ４０に対しては右下部分に相当する映像信号を生成する。
【００２８】
また、信号生成部５５は、各ディスプレイ１０，２０，３０，４０のそれぞれに、各ディスプレイ１０，２０，３０，４０の相対位置に応じた音声信号を生成する。また、信号生成部５５は、各音声出力部１３，２３，３３，４３の位置に応じた音声信号を生成する。このような信号生成部５５は、集積回路（ＩＣチップ）等に形成された論理回路（ハードウェア）によって実現され得る。
以下、信号生成部５５による音声信号生成処理の一例について詳細に説明する。
【００２９】
（信号生成部５５による音声信号生成処理）
図３は、２２．２ｃｈの音声データが想定するスピーカ位置（以下、チャンネル位置とも称する）を示す図である。
信号生成部５５は、マルチチャンネル、本実施例では２２．２ｃｈの音声データを用いて、各ディスプレイ１０，２０，３０，４０の各音声出力部１３，２３，３３，４３に対応する音声信号を生成する。
ここで、図３に示すように、２２．２ｃｈの音声データは、前に配置された１１個のスピーカ（ＴｐＦＬ、ＴｐＦＣ、ＴｐＦＲ、ＦＬ、ＦＬｃ、ＦＣ、ＦＲｃ、ＦＲ、ＢｔＦＬ、ＢｔＦＣ、ＢｔＦＲ）、中間に配置された５個のスピーカ（ＴｐＳｉＬ、ＴｐＣ、ＴｐＳｉＲ、ＳｉＬ、ＳｉＲ）、後ろに配置された６個のスピーカ（ＴｐＢＬ、ＴｐＢＣ、ＴｐＢＲ、ＢＬ、ＢＣ、ＢＲ）から出力されることが想定されている。
【００３０】
図４は、２２．２ｃｈのチャンネル位置に基づく分類の一例を示す表である。
２２．２ｃｈの音声データの各チャンネルは、図４に示す上下方向（すなわち鉛直方向）の設定位置に応じて上層、中層、及び、下層のいずれかに分類される。具体的には、２２．２ｃｈの音声データの各チャンネルは、上層である９ｃｈ（ＴｐＦＬ、ＴｐＦＣ、ＴｐＦＲ、ＴｐＳｉＬ、ＴｐＣ、ＴｐＳｉＲ、ＴｐＢＬ、ＴｐＢＣ、ＴｐＢＲ）、中層である１０ｃｈ（ＦＬ、ＦＬｃ、ＦＣ、ＦＲｃ、ＦＲ、ＳｉＬ、ＳｉＲ、ＢＬ、ＢＣ、ＢＲ）、下層である５ｃｈ（ＢｔＦＬ、ＢｔＦＣ、ＢｔＦＲ、ＬＦＥ１、ＬＦＥ２）に分類される（図４参照）。なお、ウーハ０．２ｃｈの音声データには、下層の２ｃｈ（ＬＦＥ１、ＬＦＥ２）が対応する。
【００３１】
また、２２．２ｃｈの音声データの各チャンネルは、左右方向の設定位置に応じて左端
層、左側層、中央層、右側層、及び、右端層のいずれかに分類できる。具体的には、２２．２ｃｈの音声データの各チャンネルは、左端層に位置する８ｃｈ（ＴｐＦＬ、ＴｐＳｉＬ、ＴｐＢＬ、ＦＬ、ＳｉＬ、ＢＬ、ＢｔＦＬ、ＬＦＥ２）、左側層に位置する１ｃｈ（ＦＬｃ）、中央層に位置する６ｃｈ（ＴｐＦＣ、ＴｐＣ、ＴｐＢＣ、ＦＣ、ＢＣ、ＢｔＦＣ）、右側層に位置する１ｃｈ（ＦＲｃ）、右端層に位置する８ｃｈ（ＴｐＦＲ、ＴｐＳｉＲ、ＴｐＢＲ、ＦＲ、ＳｉＲ、ＢＲ、ＢｔＦＲ、ＬＦＥ２）に分類できる（図４参照）。
【００３２】
図５は、２２．２ｃｈの音声データに基づいて、各音声出力部の音声データ算出する際の計算式の一例を示す図である。なお、図５において、各チャンネルの名称は、各チャンネルの音声データを示すものとする。
信号生成部５５は、左上部に位置する第１ディスプレイ１０に対して、上層又は中層、かつ、左端層、左側層、又は中央層に位置するチャンネルを含む音声信号を生成する。より具体的には、信号生成部５５は、式１に示すように、第１ディスプレイ１０の第１音声出力部１３の左側音声出力部１３Ｌには、上層又は中層で、かつ、左端層に位置するチャンネルを含む音声信号を生成する。一方、信号生成部５５は、式２に示すように、第１音声出力部１３の右側音声出力部１３Ｒには、上層又は中層、かつ、左側層又は中央層に位置するチャンネルを含む音声信号を生成する。
【００３３】
また、信号生成部５５は、右上部に位置する第２ディスプレイ２０に対して、上層又は中層のうちの、中央層、右側層、又は右端層に位置するチャンネルを含む音声信号を生成する。より具体的には、信号生成部５５は、式３に示すように、第２ディスプレイ２０の第２音声出力部２３の左側音声出力部２３Ｌには、上層又は中層、かつ、中央層又は右側層に位置するチャンネルを含む音声信号を生成する。一方、信号生成部５５は、式４に示すように、第２音声出力部２３の右音声出力部２３Ｒには、上層又は中層、かつ、右端層に位置するチャンネルを含む音声信号を生成する。
【００３４】
また、信号生成部５５は、左下部に位置する第３ディスプレイ３０に対して、中層又は下層で、かつ、左端層、左側層、又は中央層に位置するチャンネルを含む音声信号を生成する。より具体的には、信号生成部５５は、式５に示すように、第３ディスプレイ３０の第３音声力部３３の左側音声出力部３３Ｌには、中層又は下層、かつ、左端層に位置するチャンネルを含む音声信号を生成する。一方、信号生成部５５は、式６に示すように、第３出力部３３の右側音声出力部３３Ｒには、中層又は下層、かつ、左側層又は中央層に位置するチャンネルを含む音声信号を生成する。
【００３５】
また、信号生成部５５は、右下部に位置する第４ディスプレイ４０に対して、中層又は下層、かつ、中央層、右側層、又は右端層に位置するチャンネルを含む音声信号を生成する。より具体的には、信号生成部５５は、式７に示すように、第４ディスプレイ４０の第４音声出力部４３の左側音声出力部４３Ｌには、中層又は下層、かつ、中央層又は右側層に位置するチャンネルを含む音声信号を生成する。一方、信号生成部５５は、式８に示すように、第４音声出力部４３の右側音声出力部４３Ｒには、中層又は下層のうち、右端層に位置するチャンネルを含む音声信号を生成する。
【００３６】
図５に示す式における係数の値は、各音声出力部と、各音声出力部のそれぞれが出力する各チャンネルと位置関係に応じて設定され、例えば、距離が小さいほど大きく設定されている。
また、上記係数の値は、各チャンネルについて、マルチディスプレイシステム１から出力される音声のエネルギーの総和が、元の音声データと同値となるように設定されている。また、本実施例では、複数の音声出力部に割り振られるチャンネルでは、当該複数の音声出力部からの出力値（音量）が均等となるように割り振られている。つまり、係数の値
は、各チャンネルの割り振り数に応じて設定されている。例えば、式１及び式５に示すように、ＦＬは、割り振り数が２であり、第１ディスプレイ１０及び第３ディスプレイ３０の各左側音声出力部１３Ｌ，３３Ｌに均等に割り振られている。すなわち、各式におけるＦＬの係数は、各左側音声出力部１３Ｌ，３３Ｌから、元の音声データの１／２のエネルギーの音声が出力されるように設定されている。
【００３７】
なお、図５に示す式は、一例であり適宜変更可能である。例えば、図５に示す式における係数の値は、各音声出力部の出力値が上限を超えることがない範囲で、シミュレーション等によって適宜設定することができる。例えば、各チャンネルについて、マルチディスプレイシステム１から出力された音声のエネルギーが、元の音声データを超えない範囲で、各チャンネルの係数を適宜設定できる。また、１つのチャンネルを、複数の音声出力部に対して均等に割り振ることに制限されず、音声出力部とチャンネルとの位置関係に応じて、出力値に重みづけを行ってもよい。例えば、音声出力部とチャンネルとの距離が近いほど、係数の値を大きくしてもよい。
以下、音声設定処理の例について説明する。
【００３８】
（外部装置による音声設定処理）
図６は、外部装置としてＰＣ（Personal Computer）７０が接続されたマルチディスプ
レイシステム１を模式的に示す図である。
図６に示すように、ＰＣ７０は、映像音声送信装置５０に接続され、後述するように、マルチディスプレイシステム１における音声出力状態の設定を行う。なお、ＰＣ７０は、ＣＰＵ（Central Processing Unit）、ＲＯＭ（Read Only Memory）、ＲＡＭ（Random Access Memory）等により構成される演算部と、ユーザの操作を受け付ける操作入力部と、
各種設定を行う際の設定画面を表示する表示部と、を備える。
【００３９】
図７は、音声設定を行う際の設定画面の一例を示す図である。図７では、第１ディスプレイ１０の音声設定を行うためのコマンド入力画面の一例を示している。また、図８は、各音声チャンネルに対して付与された１６進数のコードの定義の一例を示す図である。
図７に示す例において、上段の第１領域７１Ｌは、第１ディスプレイ１０の左側音声出力部１３Ｌの設定状態が表示される領域である。また、下段の第２領域７１Ｒは、右側音声出力部１３Ｒの設定状態が表示される領域である。なお、図７では、図５の式１及び式２にしたがってコマンドが入力されている場合の一例を示している。
【００４０】
第１領域７１Ｌ及び第２領域７１Ｒのそれぞれは、出力位置表示領域７１１と、ゲイン設定表示領域７１２と、を含む。
出力位置表示領域７１１には、設定対象が各音声出力部のいずれかを示す情報が入力され、表示される。本実施例では、出力位置表示領域７１１に、出力位置コード７１１Ａと、左右位置コード７１１Ｂと、が入力される。
【００４１】
出力位置コード７１１Ａは、各信号出力部５１，５２，５３，５４のいずれの出力に関するか、すなわち各ディスプレイ１０，２０，３０，４０のいずれに対する出力であるかを示す。具体的には、出力位置コード７１１Ａとして、第１信号出力部５１に「０１」が、第２信号出力部５２に「０２」が、第３信号出力部５３に「０３」が、第４信号出力部５４に「０４」が対応づけられている。図７では、出力位置コードとして、第１信号出力部５１を示すコード「０１」が入力されている。すなわち、第１ディスプレイ１０の音声設定に関するコマンドが入力されることを示している。
【００４２】
左右位置コード７１１Ｂは、左右の音声出力部のいずれに関するかを示す。具体的には、左右位置コード７１１Ｂとして、左側音声出力部に「００」が、右側音声出力部に「０１」が対応づけられている。図７の第１領域７１Ｌでは左右位置コード７１１Ｂとして「
００」が、第２領域７１Ｒでは「０１」が、それぞれ入力されている。
【００４３】
ゲイン設定表示領域７１２には、出力対象の音声チャンネルを示すｃｈコード７１２Ａと、当該音声チャンネルのゲイン値７１２Ｂとが、１６進数コードとして入力され、表示される。具体的には、図７に示す例において、「０Ｃ  ｆｆ」は、ｃｈコード７１２Ａの音声チャンネルであるＴｐＦｌ（図８参照）のゲイン値がｆｆに設定されている。なお、本実施例では、ゲイン値は、ｆｆを上限として設定される。
【００４４】
上述の構成において、ユーザはＰＣ７０の表示部を参照しながら、出力位置表示領域７１１と、ゲイン設定表示領域７１２と、のそれぞれに適宜コマンドを入力する。ＰＣ７０は、ユーザによるコマンドの入力に応じて、映像音声送信装置５０の信号生成部５５の音声設定を変更する。
【００４５】
（映像音声送信装置５０による音声設定処理）
上述のようにマルチディスプレイシステム１の音声設定処理は、ＰＣ７０等の外部装置を用いて行われる以外にも、マルチディスプレイシステム１における内部処理として行われてもよい。例えば、映像音声送信装置５０は、操作入力部（図示省略）を用いたユーザの入力操作に基づいて、各ディスプレイ１０，２０，３０，４０の音声設定処理を実施してもよい。
以下の説明では、一例として、第１ディスプレイ１０の音声設定処理を実施する場合について説明する。
【００４６】
図９は、映像音声送信装置５０によってマルチディスプレイシステム１に表示されたる音声設定画面の一例を示す図である。
図９に示す音声設定画面８０は、映像音声送信装置５０によって生成され、マルチディスプレイシステム１の表示領域Ａｒｄに表示される。音声設定画面８０は、音声設定対象のディスプレイを表示する設定対象領域８１と、設定対象のディスプレイの音声設定を実施させるための音声設定領域８２と、を含む。
【００４７】
設定対象領域８１には、各ディスプレイ１０，２０，３０，４０が模式的に表示されている。設定対象領域８１において、左上の第１表示領域８１１は第１ディスプレイ１０に、右上の第２表示領域８１２は第２ディスプレイ２０に、左下の第３表示領域８１３は第３ディスプレイ３０に、右下の第４表示領域８１４は第４ディスプレイ４０に、対応する領域である。本実施例では、音声設定処理の対象である第１ディスプレイ１０に対応する第１表示領域８１１が、ハイライト表示されている。
【００４８】
音声設定領域８２は、音声設定の対象であるディスプレイ（本実施例では第１ディスプレイ１０）の音声設定状態が表示されている。この音声設定領域８２は、第１設定領域８２Ｌと、第２設定領域８２Ｒと、を含む。
第１設定領域８２Ｌには、設定対象ディスプレイの左側音声出力部（本実施例では第１ディスプレイ１０の左側音声出力部１３Ｌ）の音声設定を実施させるための操作部が表示されている。なお、第２設定領域８２Ｒは、設定対象ディスプレイの右側音声出力部（本実施例では第１ディスプレイ１０の右側音声出力部１３Ｒ）の音声設定を実施させるための操作部が表示されている点を除き、第１設定領域８２Ｌと同様に構成される。
【００４９】
第１設定領域８２Ｌには、上下、左右、前後の各方向における中心位置を設定させるためのスライダー８２１及びスライダーバー８２２が表示されている。スライダーバー８２２に沿って移動可能なスライダー８２１の設定位置に応じて、上記各方向における、左側音声出力部１３Ｌの中心位置が設定される。第２設定領域８２Ｒでは、上記各方向における、右側音声出力部１３Ｒの中心位置が設定される。
【００５０】
ユーザは、上述の音声設定画面を参照しながら、操作入力部（図示省略）を操作することにより、音声設定対象のディスプレイの決定や、ゲイン値の設定を行う。
つまり、映像音声送信装置５０は、ユーザからの入力操作に基づいて音声設定対象であるディスプレイを設定する。そして、映像音声送信装置５０は、設定結果に応じて、設定対象領域８１の第１表示領域８１１、第２表示領域８１２、第３表示領域８１３、及び第４表示領域８１４のいずれかをハイライト表示させる。
【００５１】
また、映像音声送信装置５０は、ユーザによるスライダー８２１の操作に基づいて、左側音声出力部１３Ｌ及び右側音声出力部１３Ｒのそれぞれについて、上下、左右、前後の各方向における中心位置を設定する。そして、映像音声送信装置５０は、上記中心位置に応じて、左側音声出力部１３Ｌ及び右側音声出力部１３Ｒのそれぞれについて、出力対象の音声チャンネルや、各音声チャンネルのゲイン値を設定する。
【００５２】
なお、映像音声送信装置５０は、音声チャンネルのそれぞれについてゲイン値の総和が上限値を超えることがないように、例えば、左側音声出力部１３Ｌについての設定処理に基づいて、右側音声出力部１３Ｒのゲインの設定値を調整してもよい。また、映像音声送信装置５０は、例えば、第１音声出力部１３についての設定処理に基づいて、他の音声出力部２３，３３，４３への設定を変更するようにしてもよい。
【００５３】
（実施例１の作用効果）
マルチディスプレイシステム１は、上述のように、複数の表示装置としての第１ディスプレイ１０、第２ディスプレイ２０、第３ディスプレイ３０、及び第４ディスプレイ４０を備え、各ディスプレイ１０，２０，３０，４０の相対位置に応じた音声を、各ディスプレイ１０，２０，３０，４０から出力させる。これにより、音声の偏りや、広がりを損なうという不具合を抑制でき、より自然な音声を再生できる。
【００５４】
ここで、マルチディスプレイ１は、４Ｋ解像度に対応した各ディスプレイ１０，２０，３０，４０を備えることにより８Ｋコンテツを表示できる。また、８Ｋ解像度に対応したディスプレイ（以下、８Ｋディスプレイとも称する）を用いる場合と比べて、８Ｋコンテンツを表示可能な装置をより安価に提供できる。しかしながら、例えば、各ディスプレイ１０，２０，３０，４０からステレオ音声を出力させると、音が不自然になるおそれがあった。一方、各ディスプレイ１０，２０，３０，４０からモノラル音声を出力させると、音の広がりを損なうおそれがあった。また、マルチディスプレイシステム１の左右の端に位置する音声出力部のみを用いてステレオ音声を出力させる場合では、音声の偏りが生じたり、広がりを損なったりするおそれがある。また、複数のディスプレイのうちの１つのみからステレオ音声を出力させる場合も同様である。
【００５５】
これに対して、映像音声送信装置５０は、２２．２ｃｈの音声データのうち、各ディスプレイ１０，２０，３０，４０の相対位置に応じた音声チャンネルを含む音声信号を、各ディスプレイ１０，２０，３０，４０に送信する。すなわち、各ディスプレイ１０，２０，３０，４０の相対位置に基づいて、２２．２ｃｈの音声データがダウンミックスされる。このような構成では、上層に位置する音声チャンネルは、上方に配置された第１ディスプレイ１０及び第２ディスプレイ２０に割り当てられ、下層に位置する音声チャンネルは、下方に配置された第３ディスプレイ３０及び第４ディスプレイ４０に割り当てられる。したがって、マルチチャンネルの音声データをダウンミックスした際の音声の偏りを抑制でき、音声の再現性を向上させることができる。
【００５６】
また、映像音声送信装置５０は、各ディスプレイ１０，２０，３０，４０における各音声出力部１３，２３，３３，４３の位置に応じた音声信号を各ディスプレイ１０，２０，
３０，４０に送信する。これにより、単に、各ディスプレイ１０，２０，３０，４０の相対位置に応じた音声を、各音声出力部１３，２３，３３，４３から出力させる場合よりも、より確実に音場の再現性を向上させることができる。
【００５７】
また、各音声出力部１３，２３，３３，４３は、左右それぞれに対応する音声出力部を備え、これらは互いに異なる位置に設けられている。そして、左右それぞれの音声出力部の位置に応じた音声が出力される。例えば、第１音声出力部１３の左側音声出力部１３Ｌは、表示領域ＡｒＤの左端側かつ上側に位置するため、上層かつ左端層の音声チャンネルが少なくとも割り振られる。一方、第１音声出力部１３の右側音声出力部１３Ｒは、表示領域ＡｒＤの中央部の左側かつ上側に位置するため、上層、かつ、左側層及び中央層の音声チャンネルが割り振られる。このように、各音声出力部１３Ｌ，１３Ｒは、第１ディスプレイ１０におけるそれぞれの位置に応じた音声チャンネルが割り振られる。これにより、音声の偏りをより確実に抑制でき、音場の再現性を一層向上させることができる。
【００５８】
また、８Ｋ解像度に対応した８Ｋディスプレイにて８Ｋ解像度のコンテンツを再生、すなわち２２．２ｃｈの音声を再生した場合、音場の再現性が低下するおそれがあった。つまり、２２．２ｃｈのうちの一部のチャンネル（例えば、図３に示すようにＦｃ，ＦＬｃ，ＦＲｃ）は、８Ｋディスプレイの表示領域の内部に位置する。したがって、８Ｋディスプレイでは、実際の音声出力部の位置を、想定されるチャンネル位置に近づけることが困難な場合があった。
【００５９】
これに対して、マルチディスプレイシステム１では、表示領域ＡｒＤの内部に位置する音声出力部（例えば、第１音声出力部１３の右側音声出力部１３Ｒ、第２音声出力部２３の左側音声出力部２３Ｌ、第３音声出力部３３の右側音声出力部３３Ｒ、及び、第４音声出力部４３の左側音声出力部４３Ｌ）からも音声を出力させることができる。このような構成では、例えば、２２．２ｃｈの音声チャンネルのうち、ＦＣ、ＦＬｃ、ＦＲｃ等の表示領域ＡｒＤ内に位置する音声チャンネルについても、本来のチャンネル位置に近い位置から出力させることができる。したがって、８Ｋ解像度に対応した１つのディスプレイを用い、表示領域ＡｒＤの外部に位置する音声出力部のみから音声を出力させる場合と比べて、音場の再現性を向上させることができる。
【００６０】
なお、特許文献１に記載の従来のシステムは、汎用ディスプレイを組み合わせて構成され、各ディスプレイにおいて、左右スピーカの少なくとも一方をミュート処理することにより、ステレオ音声の再生時の違和感を解消しようとしている。このような従来のシステムにおいて、各ディスプレイ位置に応じた音声を、左右の音声データから新たに生成することは容易ではない。このため、ステレオ音声の再生を行う従来のシステムからは、本実施例のように各ディスプレイの相対位置に応じた音声を各ディスプレイに送信するような構成は容易に相当し得なかった。
一方、本実施例では、ディスプレイの相対位置に応じて、マルチチャンネルの音声データをダウンミックスして新たに音声データを生成し、送信している。これにより、本実施例では、４Ｋコンテンツを再生可能な汎用ディスプレイを組み合わせた場合でも、８Ｋコンテンツを再生する際の２２．２ｃｈのマルチチャンネル音声の音場の再現性を向上させることができる。
（実施例２）
【００６１】
実施例２について図１０を用いて説明する。図１０は、実施例２に係るマルチディスプレイシステムの概略構成を示す正面図である。
図１０に示すように、マルチディスプレイシステム１００を構成する各ディスプレイ１０，２０，３０，４０は、各音声出力部１４，２４，３４，４４以外の構成は、実施例１と略同様である。したがって、実施例１と同様の部分についての説明は省略又は簡略化す
る。
【００６２】
第１ディスプレイ１０は、第１音声出力部１４を備え、第１音声出力部１４は、左側音声出力部１４Ｌと、右側音声出力部１４Ｒと、を備える。左側音声出力部１４Ｌは、第１表示部１２の左下部に設けられる。また、右側音声出力部１４Ｒは、上記平面視において、第１表示部１２の右下部に設けられる。なお、詳細な図示を省略するが、各音声出力部１４Ｌ，１４Ｒは、第１表示部１２の背面側に設けられ、第１表示部１２の下部に設けられた開口部から音声を出力可能に構成されている。
【００６３】
また、第２ディスプレイ２０の第２音声出力部２４、第３ディスプレイ３０の第３音声出力部３４、及び、第４ディスプレイ４０の第４音声出力部４４も、第１音声出力部１４と同様に構成される。このように、実施例２では、各音声出力部は、左右の音声出力部を備え、各ディスプレイの下部に設けられている。
【００６４】
映像音声送信装置５０は、実施例１と同様に、各音声出力部の位置に応じた音声信号を生成し、各音声出力部に送信する。例えば、映像音声送信装置５０は、第１音声出力部１４の左側音声出力部１４Ｌには式１、右側音声出力部１４Ｒには式２、第２音声出力部２４の左側音声出力部２４Ｌには式３、右側音声出力部２４Ｒには式４、第３音声出力部３４の左側音声出力部３４Ｌには式５、右側音声出力部３４Ｒには式６、第４音声出力部４４の左側音声出力部４４Ｌには式７、右側音声出力部４４Ｒには式８に基づく音声信号を送信する。
【００６５】
このように構成された実施例２のマルチディスプレイシステム１００では、実施例１と同様の効果を得ることができ、音声の偏りや、広がりを損なうという不具合を抑制でき、より自然な音声を再生できる。
また、実施例２では、音声出力部がディスプレイの下部に設けられている。このため、マルチチャンネル（本実施例では２２．２ｃｈ）において、下層に設定されたチャンネルの音声をより適切な位置から出力させることができ、音場の再現性をより確実に向上できる。
（実施例３）
【００６６】
実施例３について図１１を用いて説明する。実施例３では、ディスプレイの音声出力部に加え、外部音声出力装置を備える点以外は、実施例１と略同様である。したがって、実施例１と同様の部分についての説明は省略又は簡略化する。
【００６７】
図１１は、実施例３に係るマルチディスプレイシステムを模式的に示す構成図である。
図１１に示すように、マルチディスプレイシステム１１０は、複数の表示装置としての第１ディスプレイ１０、第２ディスプレイ２０、第３ディスプレイ３０、及び第４ディスプレイ４０と、映像音声送信装置５０と、外部音声出力装置６０と、を備える。
【００６８】
外部音声出力装置６０は、第１外部音声出力部６１と、第２外部音声出力部６２と、ＡＶアンプ６３と、を備え、映像音声送信装置５０から送信された音声信号に基づく音声を出力する。
本実施例では、第１外部音声出力部６１は、各ディスプレイ１０，２０，３０，４０の左側に配置される。一方、第２外部音声出力部６２は、各ディスプレイ１０，２０，３０，４０の右側に配置される。
【００６９】
ＡＶアンプ６３は、映像音声送信装置５０と、第１外部音声出力部６１及び第２外部音声出力部６２と、ケーブル等を介して接続されている。ＡＶアンプ６３は、映像音声送信装置５０から送信された音声信号を適宜、増幅、変調等の処理を実施し、第１外部音声出
力部６１及び第２外部音声出力部６２のそれぞれに外部音声信号を送信する。
【００７０】
本実施例の映像音声送信装置５０は、外部音声出力端子５６を介してＡＶアンプ６３に接続されている。
信号生成部５５は、各音声出力部１３，２３，３３，４３と、各外部音声出力部６１，６２との相対位置に応じて、各ディスプレイ１０，２０，３０，４０と、ＡＶアンプ６３とのそれぞれに対応する音声信号を生成する。例えば、本実施例では、第１外部音声出力部６１に対して、左端層に位置するチャンネルを含む外部音声信号を生成する。また、第２外部音声出力部６２に対して、右端層に位置するチャンネルを含む音声信号を生成する。
【００７１】
さらに、信号生成部５５は、左側層、中央層、又は右側層に位置するチャンネルを、各音声出力部１３，２３，３３，４３の相対位置に応じ、適宜、割り振る。例えば、第１音声出力部１３には、中層又は上層、かつ、左側層又は中央層に位置するチャンネルが割り振られる。第２音声出力部２３には、中層又は上層、かつ、中央層又は右側層に位置するチャンネルが割り振られる。第３音声出力部３３には、中層又は下層、かつ、左側層又は中央層に位置するチャンネルが割り振られる。第４音声出力部４３には、中層又は下層、かつ、中央層又は右側層に位置するチャンネルが割り振られる。
【００７２】
このような構成では、各ディスプレイ１０，２０，３０，４０が備える音声出力部の他に、外部音声出力部が設けられるため、音声の偏りをより確実に抑制でき、より自然な音声を再生できる。また、本実施例では、表示領域ＡｒＤの左右に外部音声出力部が配置されているため、前方（各ディスプレイ側）に位置する各チャンネルを、より適切な位置の音声出力部に割り振ることができ、音場の再現性を向上させることができる。
【００７３】
なお、各外部音声出力部６１，６２の配置位置は、実施例３の構成に限らず、例えば、各外部音声出力部６１，６２を、後方（ディスプレイとは反対側）に配置し、後方に位置する各チャンネルを割り振る構成を採用してもよい。より具体的には、第１外部音声出力部６１を左側の後方に配置し、左側の後方に位置するチャンネル、例えば、ＴｐＢＬ，ＢＬを含むチャンネルを第１外部音声出力部６１に割り振る。また、第２外部音声出力部６２を右側の後方に配置し、右側の後方に位置するチャンネル、例えば、ＴｐＢＲ，ＢＲを含むチャンネルを第２外部音声出力部６２に割り振る。このような構成では、後方からの音場の再現性を向上させることができる。
【００７４】
また、外部音声出力部の数も２つに制限されず、１つでもよいし、３つ以上でもよい。例えば、実施例２の構成において、１つの外部音声出力部を各ディスプレイの上方に配置し、上層に位置するチャンネルを外部音声出力部に割り振る構成としてもよい。このような構成では、実施例２のように下層における音声の再現性を向上させることができることに加え、上層における音声の再現性をも向上させることができる。また、実施例３の構成において、さらに後方に外部音声出力部を配置することにより、前方及び後方からの音場の再現性をより確実に向上させることができる。
【００７５】
（他の実施例）
本発明に係る映像音声送信装置及びマルチディスプレイシステムは、上述の各実施例に限定されず、本発明の技術的思想の範囲内において、各種の変形や、各実施例の組み合わせ等の変更によって得られる構成は本発明に含まれるものである。
例えば、実施例１及び実施例２において、各音声出力部に割り振るチャンネルの種類は、図５に示す式に限らない。例えば、上記式では、第１音声出力部１３の左側音声出力部１３Ｌや第３音声出力部３３の左側音声出力部３３Ｌに、左端層のチャンネルを割り振っていたが、左端層に加え、左側層のチャンネルを割り振ってもよい。また、同様に、第２
音声出力部２３の左側音声出力部２３Ｌや第４音声出力部４３の左側音声出力部４３Ｌに、右端層に加え右側層のチャンネルを割り振ってもよい。これにより、左側層の音声が中央部分に集中することを抑制でき、より広がりのある音声の再生を期待できる。
【００７６】
各実施例では、ウーハ０．２ｃｈに対応するＬＦＥ１、ＬＦＥ２をいずれの音声出力部に対しても割り振っていない場合について例示したが、これに限らない。例えば、各音声出力部のいずれかに割り振ってもよいし、外部音声出力部として配置されたサブウーハから出力させてもよい。
【００７７】
各実施例では、映像音声送信装置は、各ディスプレイにおける音声出力部の位置に応じた音声信号を各ディスプレイに送信するとしたが、これに限らない。例えば、映像音声送信装置は、音声出力部の位置に基づかず、かつ、各ディスプレイの相対位置に基づく音声信号を送信してもよい。
【００７８】
各実施例では、各ディスプレイが、左右それぞれに対応する２つの音声出力部を備える構成、すなわち左右方向に離間して２つの音声出力部を備える構成を例示したが、これに限らない。例えば、各ディスプレイが、１つの音声出力部を備える構成でもよいし、３つ以上の音声出力部を備える構成でもよい。また、上下方向に離間する複数の音声出力部を備える構成でもよいし、上部及び下部の一方のみに音声出力部を備える構成でもよい。
【００７９】
なお、左右方向の異なる位置に複数の音声出力部を備えるディスプレイを、左右方向に沿って配置することにより、少なくとも一つの音声出力部を表示領域内に配置できる。また、上下方向の異なる位置に複数の音声出力部を備えるディスプレイを、上下方向に沿って配置した場合も同様である。
また、上下方向における端部に１つの音声出力部を備えるディスプレイを、上下方向に沿って配置した場合や、左右方向における端部に１つの音声出力部を備えるディスプレイを、左右方向に沿って配置した場合も同様である。すなわち、ディスプレイの配置方向における端部に音声出力部を備えるディスプレイを用いる場合、少なくとも１つの音声出力部を表示領域内に配置できる。
【００８０】
各実施例では、左右方向（第１方向）と、上下方向（第２方向）とに沿って、マトリクス状に配置された４つのディスプレイ（表示装置）により表示ユニットが構成されるマルチディスプレイシステムを例示した。しかしながら、上記各実施例の構成に限らず、２つから３つ、又は、５つ以上のディスプレイを備える構成でも良い。また、上記各実施例の構成に限らず、表示装置の表示面の法線方向に交差する第１方向と、当該法線方向及び第１方向に交差する第２方向との少なくとも一方に沿って、複数のディスプレイ（表示装置）が配置された構成でもよい。また、複数のディスプレイが隙間なく配置される構成に限らず、複数のディスプレイが互いに離間してもよい。
【００８１】
各実施例では、再生対象とする音声データのチャンネル数が２２．２ｃｈである場合について例示したが、これに限らず、２ｃｈや５．１ｃｈ等の他のチャンネル数の場合でも本発明を適用可能である。例えば、左右の２ｃｈの音声データを対象とする場合、表示領域の中央よりも左側に位置する音声出力部には左音声を、右側に位置する音声出力部には右音声を、割り当てる。そして、各音声出力部の出力を、中央から離れるほど大きくなるように設定する。これにより、複数のディスプレイで大画面を構成する際に、音声の偏りが抑制されることが期待される。
【００８２】
また、マルチチャンネルの音声データ以外、すなわちモノラル音声データを再生対象とする場合でも、本発明を好適に用いることができる。例えば、映像音声送信装置から、各ディスプレイに相対位置に応じた音量の音声を出力させる音声データを送信させる。これ
により、表示領域内からも音声を出力させることができ、かつ、例えば、ディスプレイ位置が表示領域の内側であるほど当該ディスプレイの音量を小さくできることが期待される。したがって、左右の端に位置する音声出力部のみから音声を出力させる場合と比べて、視聴位置に応じた音声の偏りが抑制されることが期待できる。
【００８３】
実施例１では、音声データの算出式として図５に示す一組のみが用いられたが、これに限らず、予め用意された複数の算出式の組の中から選択されてもよい。すなわち、ディスプレイの数、音声出力部の数及び位置、音声チャンネルの各音声出力部への割り振りパターン、並びに、入力された音声データのチャンネル数等に応じて設定される算出式の組を、予め複数組、用意しておき、例えば、ユーザ操作に応じて選択された算出式の組が使用される構成を採用してもよい。また、映像音声送信装置は、音声データのチャンネル数やチャンネル位置のパターン等に応じて、算出式を適宜選択し、音声信号を生成するように構成されてもよい。
【００８４】
各実施例において、４Ｋ解像度の４つのディスプレイに分割表示させ、８Ｋ解像度の一つの映像を表示させるマルチディスプレイシステムを例示したが、これに限らず、異なる画像を各ディスプレイに表示させてもよい。また、８Ｋ解像度のコンテンツを再生対象としていたが、任意の解像度のコンテンツを再生対象としてもよい。また、同一のコンテンツを構成する映像と音声とを再生対象とすることに限らず、映像と音声とが異なるコンテンツを構成するものでもよい。例えば、映像信号は、映像と音声を含むコンテンツから取得されてもよいし、映像のみを含むコンテンツから取得されてもよく、記憶装置等に記憶されたテキストや画像等に基づくものでもよい。
また、各実施例では、映像信号と音声信号を送信する映像音声送信装置を例示しているが、音声信号のみを各ディスプレイに送信し、各ディスプレイに音声のみを出力させてもよい。
【００８５】
各実施例において、信号生成部５５は、集積回路（ＩＣチップ）等に形成された論理回路（ハードウェア）によって実現され得るとしたが、ＣＰＵを用いてソフトウェアによって実現されてもよい。
後者の場合、信号生成部５５は、各機能を実現するソフトウェアであるプログラムの命令を実行するＣＰＵ、上記プログラムおよび各種データがコンピュータ（またはＣＰＵ）で読み取り可能に記録されたＲＯＭまたは記憶装置（これらを「記録媒体」と称する）、上記プログラムを展開するＲＡＭなどを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【産業上の利用可能性】
【００８６】
本発明は、複数の表示装置を用いて音声を再生可能なマルチディスプレイシステム、及び、このマルチディスプレイシステムに音声信号を送信する映像音声出力装置に関するものであり、産業上の利用可能性は高いと解する。
【符号の説明】
【００８７】
１  マルチディスプレイシステム
１０  第１ディスプレイ
１１  第１信号入力部
１２  第１表示部
１３  第１音声出力部
１３Ｌ  左側音声出力部
１３Ｒ  右側音声出力部
２０  第２ディスプレイ
２１  第２信号入力部
２２  第２表示部
２３  第２音声出力部
２３Ｌ  左側音声出力部
２３Ｒ  右側音声出力部
３０  第３ディスプレイ
３１  第３信号入力部
３２  第３表示部
３３  第３音声出力部
３３Ｌ  左側音声出力部
３３Ｒ  右側音声出力部
４０  第４ディスプレイ
４１  第４信号入力部
４２  第４表示部
４３  第４音声出力部
４３Ｌ  左側音声出力部
４３Ｒ  右側音声出力部
５０  映像音声送信装置
５１  第１信号出力部
５２  第２信号出力部
５３  第３信号出力部
５４  第４信号出力部
５５  信号生成部
６０  外部音声出力装置
６１  第１外部音声出力部
６２  第２外部音声出力部
６３  ＡＶアンプ
７０  ＰＣ
１００  マルチディスプレイシステム
１１０  マルチディスプレイシステム
【図１】
2019129380.tif 000003
【図２】
2019129380.tif 000004
【図３】
2019129380.tif 000005
【図４】
2019129380.tif 000006
【図５】
2019129380.tif 000007
【図６】
2019129380.tif 000008
【図７】
2019129380.tif 000009
【図８】
2019129380.tif 000010
【図９】
2019129380.tif 000011
【図１０】
2019129380.tif 000012
【図１１】
2019129380.tif 000013